(57)【要約】【課題】種々の形状のポケットチーフについてその形状及び位置をポケットに挿入した初期の状態に維持することにある。【解決手段】ポケットチーフＡの一部を弾性力によって挟持する第１の押圧部１ａ及び第２の押圧部１ｂを有する挟持部１と、挟持部１を保持する基板部２とを備え、基板部２は、その下縁部２ｂがポケットチーフＡを収容するポケットＰの底部に当接した状態において、ポケットチーフＡの重さが加わった挟持部１をポケットＰの底部Ｐ１から所定の高さに維持することが可能な剛性を有すると共に、被着者におけるポケットＰに対応する部位の体形に沿うように屈曲することが可能な柔軟性を有する素材によって形成すべく構成している。【選択図】  図１
0003143160.tif 000002
【実用新案登録請求の範囲】
【請求項１】
ポケットチーフの一部を弾性力によって挟持する第１の押圧部及び第２の押圧部を有する挟持部と、この挟持部を保持する基板部とを備えていることを特徴とするポケットチーフホルダ。
【請求項２】
前記基板部は、その下縁部が前記ポケットチーフを収容するポケットの底部に当接した状態において、前記ポケットチーフの重さが加わった前記挟持部を前記ポケットの底部から所定の高さに維持することが可能な剛性を有すると共に、被着者における前記ポケットに対応する部位の体形に沿うように屈曲することが可能な柔軟性を有する素材によって形成されていることを特徴とする請求項１に記載のポケットチーフホルダ。
【請求項３】
前記挟持部は、前記第１の押圧部と、前記第２の押圧部と、これらの第１の押圧部及び第２の押圧部の一端部同士を連結する連結部とによって一体的に形成されていることを特徴とする請求項１又は２に記載のポケットチーフホルダ。
【請求項４】
前記挟持部は、前記第１の押圧部及び前記第２の押圧部の一端部同士を連結する連結部を有しており、
前記連結部は、当該連結部を支点部として前記第１の押圧部及前記第２の押圧部のうち一方の押圧部を他方の押圧部に接近させる方向に回動すべく前記弾性力を付与する弾性力付与部と、前記一方の押圧部を前記他方の押圧部から離れた状態に保持する弾性力解除部とを有していることを特徴とする請求項１又は２に記載のポケットチーフホルダ。
【請求項５】
前記挟持部は、前記第１の押圧部及び前記第２の押圧部における一端部同士及び他端部同士が互いに連結されたもので構成されており、
前記第１の押圧部及び前記第２の押圧部のうち少なくとも一方の押圧部は、前記一端部及び前記他端部から中央部に向かうにしたがって、他方の押圧部に対して離れる方向に湾曲するように形成され、前記一端部及び前記他端部の両側から作用する圧縮力によって更に大きく湾曲することにより、前記第１の押圧部と前記第２の押圧部との間へのポケットチーフの入出を可能とし、前記圧縮力を解除することにより、より直線状に復元しようとする弾性力に基づいて、前記第１の押圧部と前記第２の押圧部との間に挿入されたポケットチーフを挟持するように構成されていることを特徴とする請求項１又は２に記載のポケットチーフホルダ。
【考案の詳細な説明】
【技術分野】
【０００１】
本考案は、ポケットから露出するポケットチーフの形状や位置をそのポケットに挿入した初期の状態に維持するためのポケットチーフホルダに関する。
【背景技術】
【０００２】
この種のポケットチーフホルダとしては、帯片を二つ折りにすることによって形成された抑え部と保持部とを有し、その保持部に設けた切込みにポケットチーフの一の隅部を挿入し、当該ポケットチーフの対角方向における他の隅部側を保持部の外端部を包み込むように折り返し、その折返したポケットチーフの上に上記抑え部を重ねることにより、ポケットチーフを所定の形状に保持するように構成されたものが知られている（例えば特許文献１）。
【０００３】
このように構成されたポケットチーフホルダにおいては、抑え部及び保持部によって保持されたポケットチーフを胸ポケットに挿入することにより、その胸ポケットから露出するポケットチーフの形状や位置を胸ポケットに挿入した初期の状態に維持することができる。
【０００４】
【特許文献１】特開平１１−２７９８０５号公報
【考案の開示】
【考案が解決しようとする課題】
【０００５】
しかしながら、上記従来のポケットチーフホルダにおいては、保持部における外端部の形状に基づいてポケットチーフの形状を維持するようになっているので、他の種々の形式で折り畳まれたり、形付けられたりしたポケットチーフの形状を維持するためには使用することができないという問題があった。
【０００６】
本考案は、上記事情に鑑みてなされたものであり、種々の形状のポケットチーフについてその形状及び位置をポケットに挿入した初期の状態に維持することのできるポケットチーフホルダを提供することを課題としている。
【課題を解決するための手段】
【０００７】
上記課題を解決するために、請求項１に記載の考案は、ポケットチーフの一部を弾性力によって挟持する第１の押圧部及び第２の押圧部を有する挟持部と、この挟持部を保持する基板部とを備えていることを特徴としている。
【０００８】
請求項２に記載の考案は、請求項１に記載の考案において、前記基板部は、その下縁部が前記ポケットチーフを収容するポケットの底部に当接した状態において、前記ポケットチーフの重さが加わった前記挟持部を前記ポケットの底部から所定の高さに維持することが可能な剛性を有すると共に、被着者における前記ポケットに対応する部位の体形に沿うように屈曲することが可能な柔軟性を有する素材によって形成されていることを特徴としている。
【０００９】
請求項３に記載の考案は、請求項１又は２に記載の考案において、前記挟持部は、前記第１の押圧部と、前記第２の押圧部と、これらの第１の押圧部及び第２の押圧部の一端部同士を連結する連結部とによって一体的に形成されていることを特徴としている。
【００１０】
請求項４に記載の考案は、請求項１又は２に記載の考案において、前記挟持部は、前記第１の押圧部及び前記第２の押圧部の一端部同士を連結する連結部を有しており、前記連結部は、当該連結部を支点部として前記第１の押圧部及前記第２の押圧部のうち一方の押圧部を他方の押圧部に接近させる方向に回動すべく前記弾性力を付与する弾性力付与部と、前記一方の押圧部を前記他方の押圧部から離れた状態に保持する弾性力解除部とを有していることを特徴としている。
【００１１】
請求項５に記載の考案は、請求項１又は２に記載の考案において、前記挟持部は、前記第１の押圧部及び前記第２の押圧部における一端部同士及び他端部同士が互いに連結されたもので構成されており、前記第１の押圧部及び前記第２の押圧部のうち少なくとも一方の押圧部は、前記一端部及び前記他端部から中央部に向かうにしたがって、他方の押圧部に対して離れる方向に湾曲するように形成され、前記一端部及び前記他端部の両側から作用する圧縮力によって更に大きく湾曲することにより、前記第１の押圧部と前記第２の押圧部との間へのポケットチーフの入出を可能とし、前記圧縮力を解除することにより、より直線状に復元しようとする弾性力に基づいて、前記第１の押圧部と前記第２の押圧部との間に挿入されたポケットチーフを挟持するように構成されていることを特徴としている。
【考案の効果】
【００１２】
請求項１に記載の考案によれば、ポケットチーフの一部を弾性力によって挟んで保持する第１の押圧部及び第２の押圧部を有する挟持部を備えているので、種々の形式で折り畳まれたり、形付けられたりしたポケットチーフの一部を簡単に挟持することができると共に、その弾性力による挟持により、ポケットチーフへのダメージを最小限に抑えながらそのポケットチーフの形状を長く維持することができる。
【００１３】
また、基板部が例えばポケットの底部に当接することにより、挟持部が下方に移動するのを防止することができるので、挟持部によって挟持されたポケットチーフがポケット内に落ち込むを防止することができる。なお、ポケットチーフにおけるポケットの口から露出した部分は通常当該口の左右の端部で保持された状態になるため、ポケットチーフが左右に移動することはない。
【００１４】
従って、種々の形状のポケットチーフについて、その形状及び位置をポケットに挿入した初期の状態に維持することができる。即ち、背広等の胸ポケットに挿入した後、その胸ポケットから露出するポケットチーフの形状や位置が変化することによって、ポケットチーフがアクセサリとして機能しなくなるのを防止することができる。
【００１５】
請求項２に記載の考案によれば、基板部はその下縁部がポケットの底部に当接した状態においてポケットチーフの重さが加わった挟持部をポケットの底部から所定の高さに維持することが可能な剛性を有する素材によって形成されているので、ポケットチーフがポケット内に落ち込むことによって、そのポケットチーフの位置が変化するのを防止することができる。
【００１６】
しかも、基板部が被着者におけるポケットに対応する部位の体形に沿うように屈曲することが可能な柔軟性を有する素材によって形成されているので、ポケットチーフと共にポケットに挿入される基板部によって、被着者が違和感を覚えるのを防止することができると共に、基板部がポケットの外側から視認される不具合を防止することができる。
【００１７】
請求項３に記載の考案によれば、挟持部が第１の押圧部と、第２の押圧部と、連結部とによって一体的に形成されているので、第１の押圧部と第２の押圧部との間を押し広げようとする力に対して生じる反力としての弾性力により、ポケットチーフの一部を挟持することができる。そして、その弾性力を、第１の押圧部、第２の押圧部及び連結部からなる極めて簡単な構造の挟持部によって得ることができる。
【００１８】
また、挟持部の構造が極めて簡単であることから、その挟持部を、合成樹脂を用いて射出成形により大量かつ安価に生産することができる。しかも、挟持部の構造が簡単であることから、その挟持部としてはポケットチーフを挟持する機能を維持しながら、可能な限りコンパクトに形成することができる。従って、ポケットチーフと共にポケットに挿入される挟持部によって、被着者が違和感を覚えるのも防止することができると共に、挟持部がポケットの外側から視認される不具合を防止することができる。また、挟持部を例えば透明な合成樹脂で成形することにより、この挟持部で挟まれた後のポケットチーフの状態を目視で確認することができる利点がある。
【００１９】
請求項４に記載の考案によれば、挟持部が第１の押圧部及び第２の押圧部の一端部同士を連結する連結部を有し、この連結部は、当該連結部を支点部として第１の押圧部及第２の押圧部のうち一方の押圧部を他方の押圧部に接近させる方向に回動すべく前記弾性力を付与する弾性力付与部と、一方の押圧部を他方の押圧部から離れた状態に保持する弾性力解除部とを有しているので、例えば他方の押圧部上にポケットチーフを配した上で、一方の押圧部を弾性力付与部に移動するだけで、極めて簡単にポケットチーフの一部を弾性力によって挟持することができると共に、一方の押圧部を弾性力付与部から弾性力解除部に移動することにより、極めて簡単にポケットチーフの挟持状態を解除することができる。
【００２０】
請求項５に記載の考案によれば、第１の押圧部及び第２の押圧部における一端部同士及び他端部同士が互いに連結されており、第１の押圧部及び第２の押圧部のうち少なくとも一方の押圧部は、一端部及び他端部から中央部に向かうにしたがって、他方の押圧部に対して離れる方向に湾曲するように形成され、一端部及び他端部の両側から作用する圧縮力によって更に大きく湾曲することにより、第１の押圧部と第２の押圧部との間へのポケットチーフの入出を可能とし、圧縮力を解除することにより、より直線状に復元しようとする弾性力に基づいて、第１の押圧部と第２の押圧部との間に挿入されたポケットチーフを挟持するように構成されているので、上述した圧縮力を作用させ、第１の押圧部と第２の押圧部との間にポケットチーフの一部を挿入してから、当該圧縮力を解除するだけで、極めて簡単にポケットチーフを挟持することができると共に、再び圧縮力を作用させるだけで、極めて簡単にポケットチーフの挟持状態を解除することができる。
【考案を実施するための最良の形態】
【００２１】
（第１の実施の形態）
本考案を実施するための最良の形態としての第１の実施の形態について図面を参照しながら説明する。
【００２２】
この第1の実施の形態で示すポケットチーフホルダ１０１は、図１に示すように、ポケットチーフＡの一部（この例では折り畳んだ状態における上下方向の中央より下方寄りの部分）を弾性力によって挟持する（挟んで保持する）第１の押圧部１ａ及び第２の押圧部１ｂを有する挟持部１と、この挟持部１を保持する基板部２とを備えた構成になっている。
【００２３】
挟持部１は、上述した第１の押圧部１ａ及び第２の押圧部１ｂと、これらの第１の押圧部１ａ及び第２の押圧部１ｂの基端部（一端部）同士を連結する連結部１ｃとを有し、ポリスチレン等の透明な合成樹脂によって、例えば射出成形機を用いて一体的に形成されている。
【００２４】
第１の押圧部１ａは、長方形状の平板状に形成されている。第２の押圧部１ｂも、長方形状のほぼ平板状に形成されたものとなっている。連結部１ｃは、ほぼＵ字状に湾曲する板によって形成される。また、第２の押圧部１ｂは、基端部から先端部（他端部）に向って漸次第１の押圧部１ａに近づくずく方向に傾斜し、その先端部が第１の押圧部１ａにおける長手方向の中央部よりやや先端（他端）側の部分に近接するように形成されている。
【００２５】
そして、第２の押圧部１ｂにおける先端部は、ポケットチーフＡに弾性力を付与するための作用部１ｄとなっており、この作用部１ｄに対応する第１の押圧部１ａの部分も、ポケットチーフＡに弾性力を付与する作用部１ｅとなっている。これらの作用部１ｄ、１ｅには、ポケットチーフＡに対する摩擦力を増加させるため、複数の凸部１ｆが設けられている。各凸部１ｆは、これ例では各押圧部１ａ、１ｂの長手方向に対して直交する方向（即ち、幅方向）に直線状に延在すると共に、半円形状の断面形状を有している。なお、各凸部１ｆとしては、幅方向に所定の間隔をおいて半球状等に突出するように形成されたものであってもよい。
【００２６】
また、第２の押圧部１ｂにおける作用部１ｄの先端側の部分は、その先端に向かうに従って第１の押圧部１ａから漸次離れる方向に傾斜する傾斜面１ｇとなっている。この傾斜面１ｇは、第１の押圧部１ａと第２の押圧部１ｂとの間へのポケットチーフＡの挿入を容易にするための案内面として機能するようになっている。
【００２７】
基板部２は、正方形に近い直角四角形状の平板状に形成されており、その幅方向の中央部であって、当該幅方向と直交する縦方向の一方に寄った位置（即ち、ポケットＰに挿入した状態において上方に寄った位置）で挟持部１を保持するようになっている。この場合、基板部２は、挟持部１を接着材等により接合することにより、当該挟持部１を保持するようになっている。また、挟持部１は、第１の押圧部１ａ、第２の押圧部１ｂ及び連結部１ｃが同一の幅寸法に形成されており、長手方向を基板部２の縦方向に向けた状態で当該基板部２に保持され、この保持された状態において第１の押圧部１ａ及び第２の押圧部１ｂの先端側の部分が基板部２の上縁部２ａから上方に突出している。
【００２８】
また、基板部２は、その下縁部２ｂがポケットチーフＡを収容する胸ポケットＰの底部Ｐ１に当接した状態において、ポケットチーフＡを挟持することによってそのポケットチーフＡの重さが加わった挟持部１を胸ポケットＰの底部Ｐ１から所定の高さに維持することが可能な剛性を有すると共に、被着者におけるポケットＰに対応する部位の体形に沿うように屈曲することが可能な柔軟性を有する素材によって形成されている。そして、素材としては、例えばナイロン等の合成繊維を用いて平織りされた厚手（例えば２ｍｍ程度の厚さ）の布が用いられている。
【００２９】
上記のように構成されたポケットチーフホルダ１０１においては、ポケットチーフＡの一部を弾性力で挟んで保持する第１の押圧部１ａ及び第２の押圧部１ｂを有する挟持部１を備えているので、種々の形式で折り畳まれたり、任意の形状にまとめられたり、形付けられたりしたポケットチーフＡの一部を簡単に挟持することができると共に、その弾性力に基づいてポケットチーフＡを挟持することにより、当該ポケットチーフＡを傷めることなく、その形状を長く維持することができる。
【００３０】
また、基板部２はその下縁部２ｂが胸ポケットＰの底部Ｐ１に当接した状態においてポケットチーフＡの重さが加わった挟持部１を胸ポケットＰの底部Ｐ１から所定の高さに維持することが可能な剛性を有する素材によって形成されているので、ポケットチーフＡが胸ポケットＰ内に落ち込むのを防止することができる。なお、ポケットチーフＡにおける胸ポケットＰの口から露出した部分は通常当該口の左右の端部で保持された状態になるため、当該ポケットチーフＡが左右に移動することはない。
【００３１】
従って、種々の形状のポケットチーフＡについて、その形状及び位置を胸ポケットＰに挿入した初期の状態に維持することができる。即ち、胸ポケットＰに挿入した後、ポケットチーフＡが変形したり、胸ポケットＰ内に落ち込んだりすることによって、ポケットチーフＡにおける胸ポケットＰから露出する部分がアクセサリとして機能しなくなるのを防止することができる。
【００３２】
しかも、基板部２が被着者における胸ポケットＰに対応する部位の体形に沿うように屈曲する柔軟性を有する素材によって形成されているので、被着者が挟持部１によって違和感を覚えることもない。即ち、背広等の胸ポケットＰに挿入された際に、基板部２が被着者の胸の形状に沿って湾曲することになるので、被着者はしっくりした感じを受けることになる。しかも、基板部２が胸ポケットＰの外部から視認される不具合を防止することができる。
【００３３】
また、挟持部１が第１の押圧部１ａと、第２の押圧部１ｂと、連結部１ｃとによって一体的に形成されているので、第１の押圧部１ａと第２の押圧部１ｂとの間を押し広げようとする力に対して生じる反力としての弾性力により、ポケットチーフＡを挟持することができる。そして、その弾性力を第１の押圧部１ａ、第２の押圧部１ｂ及び連結部１ｃからなる極めて簡単な構造の挟持部１によって得ることができるので、その挟持部１としては合成樹脂を用いて射出成形機により大量かつ安価に生産することができる。
【００３４】
しかも、挟持部１の構造が簡単であることから、その挟持部１としてはポケットチーフＡを挟持する機能を維持しながら、可能な限りコンパクトに形成することができる。従って、ポケットチーフＡと共に胸ポケットＰに挿入される挟持部１によって、被着者が違和感を覚えるのも防止することができると共に、挟持部１が胸ポケットＰの外部から視認される不具合を防止することができる。この場合、挟持部１の幅寸法を所定の寸法（３０ｍｍ以下）にすることにより、第１の押圧部１ａの面と、通常の男性における胸の湾曲する面との食い違いが少なくなることから、違和感を生じることがなくなり、かつ挟持部１が胸ポケットＰの外部から視認されることもなくなる。因みに、この実施の形態で示した挟持部１の幅寸法は２０ｍｍに設定されてる。
【００３５】
また、挟持部１が透明な素材のもので形成されていることから、ポケットチーフＡの挟持された部分がどのような状態になっているかを外部から容易に確認することができるという利点がある。
【００３６】
｛考案を実施するための異なる形態｝
（第２の実施の形態）
次に、本考案を実施するための異なる形態としての第２の実施の形態について図２を参照しながら説明する。但し、第１の実施の形態で示した構成要素と共通する要素には同一の符号を付し、その説明を簡略化する。
【００３７】
この第２の実施の形態で示すポケットチーフホルダ１０２が第１の実施の形態で示したポケットチーフホルダ１０１と異なる点は、挟持部１１に関する構成が異なる点である。
【００３８】
即ち、挟持部１１は、第１の押圧部１２及び第２の押圧部１３の基端部（一端部）同士を連結する連結部１４を有している。連結部１４は、当該連結部１４を支点部として第２の押圧部（一方の押圧部）１３を第１の押圧部（他方の押圧部）１２に接近させる方向に弾性力を付与する弾性力付与部１４ｂと、第２の押圧部１３を第１の押圧部１２から離れた状態に保持する弾性力解除部１４ｃとを有している。
【００３９】
第１の押圧部１２は、第１の実施の形態で示した第１の押圧部１ａとほぼ同一の幅寸法を有する長方形状の平板によって形成されている。連結部１４は、第１の押圧部１２における長手方向の一端部、即ち基端部に設けられた一対の案内筒部１４ａ、１４ａを備えたものとなっている。各案内筒部１４ａは、第１の押圧部１２の一方の面上にあって、その軸方向を第１の押圧部１２の幅方向（即ち、長手方向に直交する方向）に向けた状態で、当該第１の押圧部１２の幅方向の両端部に設けられている。そして、各案内筒部１４ａには、互いに対向する端面にＶ字状に切り欠かれた弾性力付与部１４ｂ及び弾性力解除部１４ｃが設けられている。
【００４０】
一方、第２の押圧部１３は、断面円形状の弾性線材によって左右対称に形成されたものであり、図２（ａ）に示す正面視において、各案内筒部１４ａの互いに対向する端面側から当該案内筒部１４ａの貫通孔１４ｄ内に回動自在に挿入される一対の回動線材部１３ａ、１３ａと、各回動線材部１３ａの先端部から９０度或いは９０度をやや超える角度で屈曲することにより、弾性力付与部１４ｂ或いは弾性力解除部１４ｃに係止可能なように形成された係止線材部１３ｂ、１３ｂと、各係止線材部１３ｂの先端部から互いに離れる方向に延在するように形成された拡幅線材部１３ｃ、１３ｃと、各拡幅線材部１３ｃの先端部から互いに平行に延在するように形成された平行線材部１３ｄ、１３ｄと、各平行線材部１３ｄの先端部同士を連結し、当該各平行線材部１３ｄに直交する方向に延在するように形成された先端線材部１３ｅとによって一体的に形成されている。
【００４１】
また、各拡幅線材部１３ｃは、図２（ｂ）に示す側面視において、その長手方向における中間部分で屈曲することにより、第１の押圧部１２と第２の押圧部１３との間に、ポケットチーフＡを挿入することが可能な大きな空間を生じさせるようになっている。
【００４２】
各係止線材部１３ｂは、各平行線材部１３ｄが先端線材部１３ｅに対して互いに間隔を開く方向に変位しようとする弾性力に基づいて、Ｖ字状に形成された弾性力付与部１４ｂや弾性力解除部１４ｃの谷底の方向に移動するようになっている。
【００４３】
この場合、弾性力付与部１４ｂは、平行線材部１３ｄが第１の押圧部１２と平行となる状態（図２（ｂ）参照）の前から、図２（ｄ）に示すように、係止線材部１３ｂをＶ字状の一方の斜面で受け止めることにより、当該平行線材部１３ｄを第１の押圧部１２に押し付ける方向に回転させる弾性力Ｆ（図２（ｂ）参照）を付与し、先端線材部１３ｅが第１の押圧部１２に当接した時点で係止線材部１３ｂがＶ字状の谷底の位置となるように形成されている。即ち、弾性力付与部１４ｂは、第１の押圧部１２と第２の押圧部１３との間でポケットチーフＡを十分に挟持することが可能な弾性力を第２の押圧部１３に付与することが可能なように、案内筒部１４ａにおける周方向の位置や、Ｖ字を形成する斜面の傾斜角度等が設定されている。
【００４４】
また、第２の押圧部１３についても、上述したポケットチーフＡを挟持するための十分な弾性力が得られるように、材質、線材の太さ等が設定されている。なお、第２の押圧部１３の材質としては、合成樹脂、鋼材等の使用が可能である。また、第１の押圧部１２や連結部１４の材質についても、合成樹脂、鋼材等の使用が可能である。
【００４５】
弾性力解除部１４ｃについては、図２（ｂ）、（ｃ）及び（ｅ）に示すように、第２の押圧部１３が第１の押圧部１２から十分離れた状態において、係止線材部１３ｂがＶ字状の谷底に位置するように形成されている。即ち、弾性力解除部１４ｃは、第１の押圧部１２と第２の押圧部１３との間に対してポケットチーフＡを抵抗なく取り出したり、挿入したりすることが可能な位置に第２の押圧部１３を支持すべく、案内筒部１４ａにおける周方向の位置が設定されている。
【００４６】
なお、基板部２及びこの基板部２に固定される挟持部１１の位置は、第１の実施形態と同様である。
【００４７】
上記のように構成されたポケットチーフホルダ１０２においては、第２の押圧部１３を第１の押圧部１２に押し付ける方向の弾性力を付与する弾性力付与部１４ｂと、第２の押圧部１３を第１の押圧部１２から離れた状態に保持する弾性力解除部１４ｃとを有しているので、第１の押圧部１２の上にポケットチーフＡを配した上で、第２の押圧部１３を弾性力付与部１４ｂに移動するだけで、極めて簡単にポケットチーフＡを弾性力により挟持することができる。また、第２の押圧部１３を弾性力解除部１４ｃに移動することにより、ポケットチーフＡを第１の押圧部１２と第２の押圧部との間から何らの抵抗もなく、極めて簡単に取り出すことができる。
【００４８】
また、挟持部１１の幅方向の寸法を第１の実施の形態で示した挟持部１の幅寸法と同様の寸法のもので構成することができるので、ポケットチーフＡと共に胸ポケットＰに挿入される挟持部１１によって、被着者が違和感を覚えるの防止することができると共に、挟持部１１が胸ポケットＰの外部から視認される不具合を防止することができる。
【００４９】
（第３の実施の形態）
次に、本考案を実施するための異なる形態としての第３の実施の形態について図３を参照しながら説明する。但し、第１の実施の形態で示した構成要素と共通する要素には同一の符号を付し、その説明を簡略化する。
【００５０】
この第３の実施の形態で示すポケットチーフホルダ１０３が第１の実施の形態で示したポケットチーフホルダ１０１と異なる点は、挟持部３及び基板部４に関する構成が異なる点である。
【００５１】
即ち、基板部４は、図３（ａ）に示す正面視において、正方形に近い直角四角形状の平面状部材４１、４２を、図３（ｂ）に示すように、２枚重ね合わせて、その幅方向の側縁部同士を一体的に連結した形状のものになっている。また、幅方向に直交する縦方向の少なくとも一方の端部である上縁部４ａは、開口した状態になっている。なお、基板部４における縦方向の他方の端部である下縁部４ｂは、開口した状態のままであっても、平面状部材４１、４２を接合して閉じた状態にしたものであってもよい。
【００５２】
挟持部３は、第１の押圧部３１及び第２の押圧部３２における一端部同士及び他端部同士が互いに連結されたもので構成されている。
【００５３】
第１の押圧部３１は、長尺の矩形状に形成された板状部材によって形成されたものであり、その板面が一端部及び他端部から中央部に向かうにしたがって、僅かに円弧状に湾曲するような形状に形成されている。この第１の押圧部３１は、円弧状に突出する側の板面３１ａが一方の平面状部材４１における上縁部４ａに沿う内面に接着材等で接合され、かつその一端部及び他端部が基板部４における幅方向の各端部内面に接合された状態で、当該基板部４に固定されている。
【００５４】
第２の押圧部３２は、他方の平面状部材４２における上縁部４２ａによって構成されたものとなっており、外力が作用しない自由状態において、第１の押圧部３１の弦をなすようにほぼ真直ぐに延在するように形成されている。
【００５５】
即ち、挟持部３は、第１の押圧部３１が第２の押圧部３２に対して離れる方向に湾曲するように形成されており、一端部及び他端部の両側から作用する圧縮力Ｆｃ（図３（ｃ）参照）によって、第１の押圧部３１が更に大きく湾曲することにより、第１の押圧部３１と第２の押圧部３２との間が大きく開くようになり、この間へのポケットチーフＡの入出を抵抗なくスムーズに行うことを可能とし、上記圧縮力Ｆｃを解除することにより、第１の押圧部３１がより直線に近い状態に復元しようとする弾性力に基づいて、第１の押圧部３１と第２の押圧部３２との間に挿入されたポケットチーフＡの一部を挟持するように構成されている。
【００５６】
また、基板部４は、その下縁部４ｂがポケットチーフＡを収容する胸ポケットＰの底部Ｐ１に当接した状態において、ポケットチーフＡを挟持することによりそのポケットチーフＡの重さが加わった挟持部１を胸ポケットＰの底部Ｐ１から所定の高さに維持することが可能な剛性を有すると共に、上述した圧縮力Ｆｃによって第１の押圧部３１と共に或いは単独で湾曲したり、被着者における胸ポケットＰに対応する部位の体形に沿うように屈曲することが可能な柔軟性を有する素材によって形成されている。そして、素材としては、例えばナイロン等の合成繊維を用いて平織りされた厚手の布地が用いられている。
【００５７】
上記のように構成されたポケットチーフホルダ１０３においては、第１の押圧部３１及び第２の押圧部３２における一端部同士及び他端部同士が互いに連結されており、第１の押圧部３１は、一端部及び他端部から中央部に向かうにしたがって、第２の押圧部３２に対して離れる方向に湾曲するように形成されているので、一端部及び他端部の両側から圧縮力Ｆｃを作用させることにより、大きく開いた第１の押圧部３１と第２の押圧部３２との間にポケットチーフＡを極めて簡単に入出させることができる。また、圧縮力Ｆｃを解除することにより、より直線状に復元しようとする第１の押圧部３１の弾性力に基づいて、ポケットチーフＡを極めて簡単に、かつ当該ポケットチーフＡにダメージを与えることなく挟持することができる。
【００５８】
そして、上述した弾性力に基づいてポケットチーフＡを挟持することにより、当該ポケットチーフＡの型崩れを防止することができると共に、当該ポケットチーフＡが胸ポケットＰ内に落ち込むのを防止することができる。即ち、胸ポケットＰから露出するアクセサリとしてのポケットチーフＡの形状を長く維持することができるという有利な効果を奏する。
【００５９】
なお、上記第３の実施の形態においては、基板部４として、二枚の平面状部材４１、４２で構成したものを示したが、この基板部４としては、図４の（１−ａ）、（１−ｂ）及び（１−ｃ）に示すように、一枚の平面状部材４２のみで構成し、平面状部材４２の上縁部４ａにおける一端部及び他端部に第１の押圧部３１との接合代４２ａ、４２ｂを設け、この接合代４２ａ、４２ｂを介して平面状部材４２と第１の押圧部３１の一端部及び他端部とを接着剤等によって接合するように構成してもよい。この場合も、第１の押圧部３１と、平面状部材４２の上縁部４ａで構成された第２の押圧部３２とは、一端部同士及び他端部同士が互いに連結された状態になる。
【００６０】
また、上記第３の実施の形態にいては、第２の押圧部３２を他方の平面状部材４２の上縁部４ａで代用したものを示したが、この第２の押圧部３２については、図４の（２−ａ）及び（２−ｂ）に示すように、第１の押圧部３１と同様の形状に形成されたものを他方の平面状部材４２の上縁部４ａの内面に接合するように構成してもよい。そして、この場合も、図４（３−ａ）及び（３−ｂ）に示すように、基板部４を他方の平面状部材４２のみとし、その上縁部４ａの一端部及び他端部に形成した接合代４２ａ、４２ｂを第１の押圧部３１の一端部及び他端部に接着材等によって接合するように構成してもよい。また、接合代４２ａ、４２ｂは、第１の押圧部３１及び第２の押圧部３２の一端部同士及び他端部同士を互いに連結するための部材ともなっている。
【図面の簡単な説明】
【００６１】
【図１】本考案の第１の実施の形態として示したポケットチーフホルダを示す図であって、（ａ）は正面図であり、（ｂ）は側面図であり、（ｃ）は（ｂ）の要部拡大図である。
【図２】本考案の第２の実施の形態として示したポケットチーフホルダを示す図であって、（ａ）は正面図であり、（ｂ）は側面図であり、（ｃ）は（ｂ）の要部拡大図であり、（ｄ）は（ｃ）におけるＤ方向からの矢視図であり、（ｅ）は（ｃ）におけるＥ方向からの矢視図である。
【図３】本考案の第３の実施の形態として示したポケットチーフホルダを示す図であって、（ａ）は正面図であり、（ｂ）は平面図であり、（ｃ）は圧縮力を加えた後の状態を示す平面図である。
【図４】同第３の実施の形態の他の例として示した図であって、（１−ａ）は第１の他の例として示したポケットチーフホルダの正面図であり、（１−ｂ）は同ポケットチーフホルダの平面図であり、（１−ｃ）は同ポケットチーフホルダに圧縮力を加えた後の状態を示す平面図であり、（２−ａ）は第２の他の例として示したポケットチーフホルダの平面図であり、（２−ｂ）は同ポケットチーフホルダに圧縮力を加えた後の状態を示す平面図であり、（３−ａ）は第３の他の例として示したポケットチーフホルダの平面図であり、（３−ｂ）は同ポケットチーフホルダに圧縮力を加えた後の状態を示す平面図である。
【符号の説明】
【００６２】
１、３、１１  挟持部
１ａ、１２、３１  第１の押圧部
１ｂ、１３、３２  第２の押圧部
１ｃ、１４  連結部
２、４  基板部
２ｂ、４ｂ  下縁部
１４ｂ  弾性力付与部
１４ｃ  弾性力解除部
Ａ  ポケットチーフ
Ｐ  ポケット（胸ポケット）
Ｐ１  底部
【図１】
0003143160.tif 000003
【図２】
0003143160.tif 000004
【図３】
0003143160.tif 000005
【図４】
0003143160.tif 000006